(57)【要約】【課題】サーバ側にも携帯端末側にも位置読取などの専用のプログラムが不要なスタンプラリーシステムを提供する。【解決手段】敷地内の複数の施設に読取端末１１−１４を設置し、参加者が手持ちの携帯端末１５に表示された二次元コード１６を前記読取端末に読み取らせてスタンプを取得するシステムである。敷地内には、新規登録用の二次元コードが設置されており、スタンプラリーサーバには、新規登録用の二次元コードが携帯端末１５により読み取られたときに参加者のユーザ情報を入力させるとともに、その携帯端末に対して個人用の二次元コード１６を発行する新規登録手段２２と、携帯端末に表示されたその二次元コード１６が読取端末で読み取られたときに、スタンプ帳をその携帯端末の画面に表示するとともにスタンプを発行するスタンプ発行手段２３が搭載されている。【選択図】図１
2020161023.tif 000002
【特許請求の範囲】
【請求項１】
敷地内のスタンプポイントとなる複数の施設に読取端末を設置し、参加する参加者が手持ちの携帯端末に表示された二次元コードを前記読取端末に読み取らせてスタンプを取得するスタンプラリーシステムであって、
敷地内に、新規登録用の二次元コードが設置されており、
スタンプラリーサーバには、新規登録用の二次元コードが携帯端末により読み取られたときに参加者のユーザ情報を入力させるとともに、その携帯端末に対して個人用の二次元コードを発行するユーザ登録手段と、携帯端末に表示されたその二次元コードが読取端末で読み取られたときに、スタンプ帳をその携帯端末の画面に表示するとともにスタンプを発行するスタンプ発行手段とが搭載されていることを特徴とするスタンプラリーシステム。
【請求項２】
スタンプラリーサーバには、全ての読取装置によるその二次元コードの読み取りが完了したことを判断するスタンプ取得確認手段と、スタンプ取得確認手段により全ての読み取りが完了したと判断されたとき、アンケート入力画面をその携帯端末の画面に表示するアンケート取得手段を搭載した請求項1に記載のスタンプラリーシステム。
【請求項３】
スタンプラリーサーバには、アンケートの回答が完了したときに、その携帯端末の画面に景品交換画面を表示する景品発行手段を搭載した請求項２に記載のスタンプラリーシステム。
【請求項４】
敷地が学校敷地であり、参加者が来場者である請求項１〜３のいずれかに記載のスタンプラリーシステム。
【発明の詳細な説明】
【技術分野】
【０００１】
本発明は、スタンプラリーシステムに関するものであり、特に学校敷地内を利用し、来場者に向けて行うスタンプラリーで、例えば大学がオープンキャンパスを開催する際に用いるに適した学生向けスタンプラリーシステムに関するものである。
【背景技術】
【０００２】
近年、各大学は受験者・入学者が少子化に伴い減少傾向にあるため、大学の宣伝を兼ねてオープンキャンパスを開催している。オープンキャンパスは大学の施設を公開し、関心のある学生やその家族に大学のことを知ってもらうためのイベントである。このため大学内の施設の公開にとどまらず、その大学の入学や進学、就職などに関する様々な情報を提供したり、教員や在校生から直接話を聞ける機会を設けるなどの工夫がなされている。
【０００３】
このオープンキャンパスにより参加者はその大学の施設、雰囲気、実績などを知ることができる。一方、主催する大学側はキャンパスツアーなどにより参加者に大学内のいろいろな施設を巡回してもらうとともに、アンケートを実施して参加者の感想や意見を集約し、今後の大学運営に有用なデータを収集することを意図している。
【０００４】
しかし現状では、参加者が一部の施設しか見ずに帰ってしまうことも多くあった。またアンケート用紙を用いて回答を集めているため、集計に時間がかかるうえに、入力ミスなどにより正確に情報を取得できないという問題があった。
【０００５】
そこで本発明者は、参加者が複数の施設を確実に巡回して電子的にアンケートに応えてくれるように、デジタルスタンプラリーシステムを利用することに思い至った。デジタルスタンプラリーシステムとしては、特許文献１に示されるように、携帯端末の位置情報を利用し、スタンプポイントとして予め設定されたエリアの位置座標と一致するか否かをサーバ側で判断し、全てのスタンプポイントを巡回したことをサーバ側で確認すると、景品を提供するシステムが知られている。しかしこの特許文献１のデジタルスタンプラリーシステムは、携帯端末の位置情報をサーバ側で読み取りチェックするための専用のプログラムが必要となるという問題があった。
【０００６】
また特許文献２には、携帯端末を駅の改札機にかざしてデータのやり取りを行う鉄道スタンプラリーシステムが記載されている。しかしこの特許文献２のシステムでは、携帯端末と改札機に予め専用のプログラムをインストールしておく必要があり、特に、多数の参加者に気軽に参加してもらいたいオープンキャンパス用の学生向けスタンプラリーシステムには不向きなものであった。
【先行技術文献】
【特許文献】
【０００７】
【特許文献１】特開２００２−１３２６１０号公報
【特許文献２】特開２００７−２５７１６１号公報
【発明の開示】
【発明が解決しようとする課題】
【０００８】
従って本発明の目的は上記した従来の問題点を解決し、サーバ側にも携帯端末側にも位置読取などの専用のプログラムが不要であり、オープンキャンパスの参加者に各施設を確実に巡回してもらえるようにした学生向けスタンプラリーシステムを提供することである。
【課題を解決するための手段】
【０００９】
上記の課題を解決するためになされた本発明は、敷地内のスタンプポイントとなる複数の施設に読取端末を設置し、参加者が手持ちの携帯端末に表示された二次元コードを前記読取端末に読み取らせてスタンプを取得する学生向けスタンプラリーシステムであって、施設内には、新規登録用の二次元コードが設置されており、スタンプラリーサーバには、新規登録用の二次元コードが携帯端末により読み取られたときに参加者のユーザ情報を入力させるとともに、その携帯端末に対して個人用の二次元コードを発行する新規登録手段と、携帯端末に表示されたその二次元コードが読取端末で読み取られたときにスタンプ帳をその携帯端末の画面に表示するとともにスタンプを発行するスタンプ発行手段とが搭載されていることを特徴とするものである。
【００１０】
なお、スタンプラリーサーバには、全ての読取装置によるその二次元コードの読み取りが完了したときに、アンケート入力画面をその携帯端末の画面に表示するアンケート取得手段を搭載しておくことが好ましい。また、スタンプラリーサーバには、アンケートの回答が完了したときに、その携帯端末の画面に景品交換画面を表示する景品発行手段を搭載しておくことが好ましい。
【発明の効果】
【００１１】
本発明のスタンプラリーシステムは、スタンプラリーサーバから取得した固有の二次元コードを表示させた携帯端末を、各スタンプポイントに設置された読取端末で読み取ることにより、その参加者が各スタンプポイントを巡回したことを確認するシステムである。このため、従来のように携帯端末は、位置情報を取得する必要はなく、そのための特別なプログラムは不要である。また参加者の携帯端末には取得した固有の二次元コードを表示する手段があればよく、予めスタンプラリー用のプログラムをインストールしておく必要はない。よってスムーズな運用が可能となる。本発明のスタンプラリーシステムは、学校敷地内を利用し、学生に向けて行う、例えば大学オープンキャンパスにて、参加した学生に大学敷地内を巡回させる場合等に特に有効である。なぜなら、オープンキャンパスに参加する学生は、通常１度だけ限定的にスタンプラリーを利用することが想定され、そのような者が、スタンプラリー用のプログラムをインストールし、前記プログラムの機能や操作方法を理解することは非常に煩わしい作業であると考えられるためである。前記のシステムは、オープンキャンパスのイベントに限定されず、例えば学園祭などの際に、入場者に対して実施しても良い。
【００１２】
また、全ての二次元コードの読み取りが完了したときに、アンケート取得手段がアンケート入力画面をその携帯端末の画面に表示するようにすれば、参加した学生は携帯端末の画面から容易にアンケートに答えることができる。各参加者から集められたアンケート結果は電子情報であるから容易に集約することができ、集計に時間がかかることもない。またアンケートの回答が完了したときに、その携帯端末の画面に景品交換画面を表示するようにすれば、アンケートへの回答を促すことができる。
【図面の簡単な説明】
【００１３】
【図１】本発明の学生向けスタンプラリーシステムの説明図である。
【図２】大学側のサーバの内容を示すブロック図である。
【図３】データベース部の詳細図である。
【図４】携帯端末に表示される画面の説明図である。
【発明を実施するための形態】
【００１４】
以下に本発明の実施形態を示す。図１は本発明の学生向けスタンプラリーシステムの説明図であり、大学キャンパスの入口には、新規登録用の二次元コード１０が設置されている。二次元コード１０は、ＱＲコード（登録商標）と呼ばれているマトリックス型の二次元コードである。
【００１５】
また大学は、キャンパス内のスタンプポイントとなる複数の施設に、それぞれ二次元コードの読取装置１１、１２、１３、１４設置しておく。これらの施設は、大学がオープンキャンパスの参加者に見てもらいたい施設であり、例えば校舎、研究施設、食堂などである。なお本明細書では図面を簡素化するためにＡＢＣＤの４ポイントに読取装置１１、１２、１３、１４を設置したが、その数は適宜変更できることはいうまでもない。
【００１６】
オープンキャンパスに参加する学生や家族は、先ず手持ちのスマートフォン等の携帯端末１５に搭載されているコード読み取りソフトを起動し、大学キャンパスの入口付近に設置された新規登録用の二次元コード１０を読み取る。図２に示されるように、スタンプラリーサーバ１７にはスタンプラリーソフト２１がインストールされている。新規登録用の二次元コード１０を読み込んだ携帯端末１１は、読み込んだ２次元コードに付与されたｗｅｂページの呼び出しを行うためこのスタンプラリーサーバ１７にアクセスし、両者間に通信回線が形成される。なお、携帯端末１５側にはコードを表示させる手段があればよく、その他の特別なソフトをインストールしておく必要はないので、だれでも気軽に参加することができる。
【００１７】
図２右に示すのは、スタンプラリーサーバの構成を示すブロック図、図３はデータベース部の詳細図である。スタンプラリーサーバ１７は、データベース部３０に、開催場所ＩＤ、開催日などの開催場所に関する情報を蓄積する開催場所データベース３１と、スタンプ画像、開催場所ＩＤ情報を蓄積するスタンプラリーデータベース３２と、参加者のアンケート結果をアンケートＩＤと関連付けて蓄積するアンケート質問データベース３３と、ユーザのニックネームや取得したスタンプ状況などユーザＩＤと関連付けて蓄積するユーザ情報データベース３４とを備える。
【００１８】
図２に示されるように、スタンプラリーサーバ１７のスタンプラリーソフト２１には、新規登録手段２２が搭載されている。新規登録手段２２は新規登録用の二次元コード１０が携帯端末１５により読み取られたときに、その携帯端末１５に図４に示す新規登録用画面４１を表示し、参加者の個人情報の入力を求める。参加者が氏名、メールアドレス、ニックネームなど、その他の簡単なユーザ情報を入力してサーバ１７に送信すると、新規登録手段２２は個人用の二次元コード１６を発行し、その携帯端末１５に送信する。送信された個人用の二次元コード１６は、携帯端末１５のコード表示画面４２に表示される。なお、入力された個人情報はスタンプラリーサーバ１７のユーザ情報収集手段２８が取得し、ユーザ情報データベースなど３４保存する。
【００１９】
新規登録を終えた参加者は、キャンパス内の最初のポイントＡの施設に行き、そこに設置されている読取装置１１に携帯端末１５のコード表示画面４２をかざす。読取装置１１が個人用の二次元コード１６を読み取ると、スタンプ発行手段２３により、携帯端末１５にスタンプ帳の画面４３が表示される。この例では4つのポイントのスタンプ帳が表示されているが、スタンプ帳の1番目の欄には発行された「Ａ」のスタンプが表示されている。
【００２０】
その後、参加者は指定されたポイントＢの施設に移動し、そこに設置されている読取装置１２に携帯端末１５のコード表示画面４２をかざす。このようにサーバ１７が発行した個人用の二次元コード１６を読取装置１２が読み取ることにより、位置情報を利用しなくても特定の参加者がポイントＢに来たことを確認することができるので、スタンプ発行手段２３が２番目のスタンプ「Ｂ」を発行する。スタンプが発行されると、スタンプ帳に「Ｂ」として表示される。
【００２１】
以下同様に、３番目と４番目の読取装置１３，１４で携帯端末１５に表示された二次元コード１６が読み取られ、図４の画面４４、画面４５に示したように３番目と４番目のスタンプ「Ｃ」と「Ｄ」が発行される。参加者が取得したスタンプ情報は、ユーザＩＤに関連付けられ、スタンプラリーサーバ１７のユーザ情報データベース３４に蓄積される。そして図４の画面４５に示すように全てのスタンプが発行された場合、すなわち、取得すべきスタンプ情報が、全て前記ユーザ情報データベース３４に蓄積されたと、スタンプ取得確認手段２４が判断すると、スタンプ取得確認手段２４の命令により、携帯端末１５の画面にコンプリート画面４６が表示される。コンプリート画面には、アンケート入力アイコンが表示されており、参加者がアンケートボタンにタッチすると、アンケート取得手段２５が携帯端末１５の画面にアンケート画面４７を表示する。参加者がアンケートに回答しサーバ１７に送信すると、景品発行手段２６が景品交換用画面４８を携帯端末１５に表示し、参加者は所定の場所で景品を受け取って帰宅することができる。
【００２２】
サーバ１７に送信されたアンケートの回答は、アンケート集計手段２５が集計・解析する。大学側は得られたアンケートの結果を今後の運営に生かすことができる。従来のアンケート用紙を用いた回答ではないため、集計の簡略化を図ることができるとともに、自動集計も可能となる。
【００２３】
また、オープンキャンパスに参加した学生の氏名その他の個人情報も収集することができるので、その後に受験を促すなどの対応が可能となる。
【００２４】
なお、上記の説明では入口付近に新規登録用の二次元コード１０を設置し、この１番目のチェックポイントからスタンプラリーを開始することとしたが、任意の初回チェックポイントにて携帯端末１１がスタンプラリーサーバ１５からクッキー(cookie)を取得し、次のチェックポイントからは前記クッキーの照合によって、ユーザ登録画面をスキップするような設定とすることもできる。これによって参加者は初めに巡回するチェックポイントを任意に選ぶことが可能となり、より柔軟に、巡回コースを選択することができる。なお、初回の登録画面をスキップする手段は、クッキーの取得・照合による手段に限定されるものではない。
【００２５】
以上に説明したように、本発明の学生向けスタンプラリーシステムを用いれば、サーバ１７側にも携帯端末１５側にも位置読取などの専用のプログラムが不要である。また、オープンキャンパスの参加者に各施設を確実に巡回してもらうことができる。
【符号の説明】
【００２６】
１０  新規登録用の二次元コード
１１  読取装置
１２  読取装置
１３  読取装置
１４  読取装置
１５  携帯端末
１６  個人用の二次元コード
１７  スタンプラリーサーバ
２１  スタンプラリーソフト
２２  新規登録手段
２３  スタンプ発行手段
２４  スタンプ取得確認手段
２５  アンケート取得手段
２６  景品発行手段
２７  アンケート集計手段
２８  ユーザ情報収集手段
３０  データベース部
３１  開催場所データベース
３２  スタンプラリーデータベース
３３  アンケート質問データベース
３４  ユーザ情報  データベース
４１  新規登録画面
４２  コード表示画面
４３  スタンプ帳の画面
４４  スタンプ帳の画面
４５  スタンプ帳の画面
４６  コンプリート画面
４７  アンケート画面
４８  景品交換用画面
【図１】
2020161023.tif 000003
【図２】
2020161023.tif 000004
【図３】
2020161023.tif 000005
【図４】
2020161023.tif 000006